(57)【特許請求の範囲】
【請求項１】
熱交換器と、熱交換器と接続された圧縮機とを備える冷媒回路における前記圧縮機の温度と、前記熱交換器の温度と、外気温と、を取得する温度取得部と、
前記圧縮機を加熱するクランクケースヒータのオン制御又はオフ制御を行う通電制御部と、
を備え、
前記通電制御部は、
前記圧縮機の停止中に、前記外気温が、予め定めた高温度帯、中間温度帯、低温度帯のうちの前記中間温度帯に含まれる温度であって、前記熱交換器の温度から前記圧縮機の温度を減じた温度差が第一閾値以上の場合に前記クランクケースヒータをオンにし、前記第一閾値より低い温度である第二閾値以下の場合に前記クランクケースヒータをオフにする、
制御装置。
【請求項２】
熱交換器と、熱交換器と接続された圧縮機とを備える冷媒回路における前記圧縮機の温度と、前記熱交換器の温度と、外気温と、を取得する温度取得部と、
前記圧縮機を加熱するクランクケースヒータのオン制御又はオフ制御を行う通電制御部と、
を備え、
前記通電制御部は、前記圧縮機の停止中における前記外気温が、予め定めた高温度帯、中間温度帯、低温度帯のうちの前記中間温度帯に含まれる温度であって、該外気温が所定の時間上昇し続けると前記クランクケースヒータをオンにする
制御装置。
【請求項３】
前記通電制御部は、前記取得した外気温が、前記低温度帯に含まれる温度である場合、前記クランクケースヒータをオンにし、前記高温度帯に含まれる温度である場合、前記クランクケースヒータをオフにする
請求項１から請求項２の何れか１項に記載の制御装置。
【請求項４】
前記第一閾値は、１．５℃である、
請求項１に記載の制御装置。
【請求項５】
前記第二閾値は、０℃である、
請求項１に記載の制御装置。
【請求項６】
前記圧縮機の温度は、前記圧縮機のドーム下の温度、又は、前記圧縮機の吐出口温度である
請求項１から請求項５の何れか１項に記載の制御装置。
【請求項７】
圧縮機と、前記圧縮機に設けられたクランクケースヒータと、前記圧縮機に接続された室外熱交換器と、を備える冷媒回路を有した空調装置において、
請求項１から請求項６の何れか１項に記載の制御装置、を備える空調装置。
【請求項８】
熱交換器と、熱交換器と接続された圧縮機とを備える冷媒回路における圧縮機を加熱するクランクケースヒータの制御方法であって、
前記圧縮機の温度と、前記熱交換器の温度と、外気温と、を取得し、
前記圧縮機の停止中に、前記外気温が、予め定めた高温度帯、中間温度帯、低温度帯のうちの前記中間温度帯に含まれる温度であって、前記熱交換器の温度から前記圧縮機の温度を減じた温度差が第一閾値以上の場合に前記クランクケースヒータをオンにし、前記第一閾値より低い温度である第二閾値以下の場合に前記クランクケースヒータをオフにする、
制御方法。
【請求項９】
熱交換器と、熱交換器と接続された圧縮機とを備える冷媒回路における圧縮機を加熱するクランクケースヒータの制御方法であって、
前記圧縮機の温度と、前記熱交換器の温度と、外気温と、を取得し、
前記圧縮機の停止中における前記外気温が、予め定めた高温度帯、中間温度帯、低温度帯のうちの前記中間温度帯に含まれる温度であって、該外気温が所定の時間上昇し続けると前記クランクケースヒータをオンにする、
制御方法。
【発明の詳細な説明】
【技術分野】
【０００１】
本発明は、クランクケースヒータ―の制御装置、空調装置及び制御方法に関する。
【背景技術】
【０００２】
空調設備で室外に設けられた圧縮機は、運転停止中に外気によって冷却される。冷媒は空調設備内のより低い温度の場所に移動する性質がある為、圧縮機の温度が低下すると、室外熱交換器など他の装置に存在していた冷媒が圧縮機に移動し、圧縮機に冷媒が溜まり込む現象が生じる。冷媒が溜まり込むと冷媒の液圧縮が生じたり、圧縮機の潤滑油が冷媒に溶け込み圧縮機の油膜が未形成な状態が生じたりして、圧縮機の起動時に圧縮機故障に至ることがある。その為、圧縮機にクランクケースヒータとよばれるヒータを設け、このクランクケースヒータを動作させて停止中の圧縮機を温めることにより、圧縮機への冷媒の溜まり込みを防いでいる。
【０００３】
このクランクケースヒータの動作については、例えば、圧縮機の停止中に一律にクランクケースヒータを起動させるように制御したり、外気温によってクランクケースヒータをオン／オフする制御を行ったりしていた。また、例えば、特許文献１には、圧縮機の温度と、室内熱交換器の温度と、室外熱交換器の温度とを取得し、圧縮機の温度が、室内熱交換器の温度、又は、室外熱交換器の温度より所定の温度以上低い温度となると、クランクケースヒータをオンにする制御方法が記載されている。
【先行技術文献】
【特許文献】
【０００４】
【特許文献１】特開２００８−１７００５２号公報
【発明の概要】
【発明が解決しようとする課題】
【０００５】
しかし、特許文献１の方法は、外気温に関わらず、圧縮機の温度と室内熱交換器又は室外熱交換器の温度との相対的な関係で制御を行うので、例えば、外気温が低い場合でもクランクケースヒータが動作しない可能性がある。その場合、上述の圧縮機故障の原因となる冷媒の溜まり込みが生じる可能性がある。また、クランクケースヒータを動作させる必要が無い温度帯においてもクランクケースヒータをオンにする可能性がある為、省エネの観点から課題が残るものであった。
【０００６】
そこでこの発明は、上述の課題を解決することのできる制御装置、空調装置及び制御方法を提供することを目的としている。
【課題を解決するための手段】
【０００７】
本発明の第１の態様は、熱交換器と、熱交換器と接続された圧縮機とを備える冷媒回路における前記圧縮機の温度と、前記熱交換器の温度と、外気温と、を取得する温度取得部と、前記圧縮機を加熱するクランクケースヒータのオン制御又はオフ制御を行う通電制御部と、を備え、前記通電制御部は、前記圧縮機の停止中に、前記外気温が、予め定めた高温度帯、中間温度帯、低温度帯のうちの前記中間温度帯に含まれる温度であって、前記熱交換器の温度から前記圧縮機の温度を減じた温度差が第一閾値以上の場合に前記クランクケースヒータをオンにし、前記第一閾値より低い温度である第二閾値以下の場合に前記クランクケースヒータをオフにする制御装置である。
【０００９】
本発明の第２の態様は、熱交換器と、熱交換器と接続された圧縮機とを備える冷媒回路における前記圧縮機の温度と、前記熱交換器の温度と、外気温と、を取得する温度取得部と、前記圧縮機を加熱するクランクケースヒータのオン制御又はオフ制御を行う通電制御部と、を備え、前記圧縮機の停止中における前記外気温が、予め定めた高温度帯、中間温度帯、低温度帯のうちの前記中間温度帯に含まれる温度であって、該外気温が所定の時間上昇し続けると前記クランクケースヒータをオンにする制御装置である。
【００１０】
本発明の第３の態様では、前記通電制御部は、前記取得した外気温が、前記低温度帯に含まれる温度である場合、前記クランクケースヒータをオンにし、前記高温度帯に含まれる温度である場合、前記クランクケースヒータをオフにする。
【００１１】
本発明の第４の態様における前記第一閾値は、１．５℃である。
【００１２】
本発明の第５の態様における前記第二閾値は、０℃である。
【００１３】
本発明の第６の態様の前記圧縮機温度は、前記圧縮機のドーム下の温度、又は、前記圧縮機の吐出口温度である。
【００１４】
本発明の第７の態様は、圧縮機と、前記圧縮機に設けられたクランクケースヒータと、前記圧縮機に接続された室外熱交換器と、を備える冷媒回路を有した空調装置において、上述のうち何れか１つに記載の制御装置、を備える空調装置である。
【００１５】
本発明の第８の態様は、熱交換器と、熱交換器と接続された圧縮機とを備える冷媒回路における圧縮機を加熱するクランクケースヒータの制御方法であって、前記圧縮機の温度と、前記熱交換器の温度と、外気温と、を取得し、前記圧縮機の停止中に、前記外気温が、予め定めた高温度帯、中間温度帯、低温度帯のうちの前記中間温度帯に含まれる温度であって、前記熱交換器の温度から前記圧縮機の温度を減じた温度差が第一閾値以上の場合に前記クランクケースヒータをオンにし、前記第一閾値より低い温度である第二閾値以下の場合に前記クランクケースヒータをオフにする、制御方法である。
本発明の第９の態様は、熱交換器と、熱交換器と接続された圧縮機とを備える冷媒回路における圧縮機を加熱するクランクケースヒータの制御方法であって、前記圧縮機の温度と、前記熱交換器の温度と、外気温と、を取得し、前記圧縮機の停止中における前記外気温が、予め定めた高温度帯、中間温度帯、低温度帯のうちの前記中間温度帯に含まれる温度であって、該外気温が所定の時間上昇し続けると前記クランクケースヒータをオンにする制御方法である。
【発明の効果】
【００１６】
本発明によれば、圧縮機停止中のクランクケースヒータのオン／オフ制御を最適化することにより、省エネ化が可能になる。
【図面の簡単な説明】
【００１７】
【図１】本発明の一実施形態における冷媒回路の一例を示す図である。
【図２】本発明の一実施形態における制御装置の概略ブロック図である。
【図３】本発明の一実施形態におけるクランクケースヒータのオン／オフ制御に用いる外気温の温度帯を説明する図である。
【図４】本発明の一実施形態における制御装置の処理フロー図である
【図５】本発明の一実施形態における条件Ｂ１の判定処理のフロー図である。
【図６】本発明の一実施形態における条件Ｂ２の判定処理のフロー図である。
【図７】本発明の一実施形態における条件Ｂ２の判定に用いるオン領域とオフ領域を説明する図である。
【図８】外気温上昇時の圧縮機および室外熱交換器の温度の挙動の一例を示す図である。
【発明を実施するための形態】
【００１８】
＜第一実施形態＞
以下、本発明の一実施形態によるクランクケースヒータの制御装置を図１〜図８を参照して説明する。
図１は、本発明の一実施形態における冷媒回路の一例を示す図である。
図１が示すとおり冷媒回路は、圧縮機１、室内熱交換器２、膨張弁３、室外熱交換器４、四方弁５、及びそれらを接続する配管６を備えて構成される。
圧縮機１は、冷媒を圧縮し、圧縮した冷媒を冷媒回路に供給する。室内熱交換器２は、冷媒と室内の空気との間で熱交換を行う。室内熱交換器２は、冷房運転時には、蒸発器として用いられ室内から吸熱し、暖房運転時には、凝縮器として用いられ室内へ放熱する。室外熱交換器４は、冷媒と室外の空気との間で熱交換を行う。膨張弁３は、凝縮器で熱交換をすることで液化した高圧の冷媒を膨張させることで低圧化する。室外熱交換器４は、冷房運転時には、凝縮器として用いられ室外へ放熱し、暖房運転時には、蒸発器として用いられ室外から吸熱する。四方弁５は、暖房運転時と冷房運転時とで冷媒の流通する方向を切り替える。冷媒は、冷房運転時には、矢印７の方向に流通し、暖房運転時には、矢印８の方向に流通する。
【００１９】
圧縮機１は、圧縮機１のドーム（ケーシング）下、あるいは、圧縮機１の吐出口付近のうち少なくとも一方に温度サーミスタが設けられている。符号１１は、圧縮機１のドーム下に設けられた温度サーミスタを示している。符号１２は、圧縮機１の吐出口に設けられた温度サーミスタを示している。また、室外には、外気温を測定するための温度サーミスタ１３が設けられ、室外熱交換器４には、室外熱交換器４の温度を測定するために、温度サーミスタ１４Ａ、１４Ｂが室外熱交換器４の異なる位置に設けられている。
また、圧縮機１には、圧縮機１を加熱するためのクランクケースヒータ９が設けられている。符号２０は、クランクケースヒータ９のオン／オフを制御する制御装置である。クランクケースヒータ９は、圧縮機１に冷媒が溜まり込むことによって生じる液圧縮・油膜未形成による圧縮機１の故障を防ぐために設けられている。冷媒の圧縮機への溜まり込みは、通常、外気温が低下した場合に大きくなる。外気温が低下すると、それに伴い、圧縮機１や室外熱交換器４の温度も低下するが、室外熱交換器４の温度が先に低下し、最初は室外熱交換器４に冷媒が溜まり込む。しかし、外気温が上昇すると、圧縮機１の熱容量は大きく、圧縮機１の温度上昇が遅いため、冷媒は、室外熱交換器４から圧縮機１に移動し、圧縮機１に溜まり込むようになる。次に図８を用いて、圧縮機１の温度と室外熱交換器４の温度の変化について具体的に説明する。
【００２０】
図８は、外気温上昇時の圧縮機および室外熱交換器の温度の挙動の一例を示す図である。
図８の縦軸は、温度であり、横軸は時間である。図８は、夜中に低温となった圧縮機１や室外熱交換器４などの温度が、日が昇るのに伴って上昇する様子を示したものである。図８のグラフは、朝方から午前中の数時間における圧縮機１などの温度の挙動を示したものである。
符号８１は、室外熱交換器４の近傍に設けられた温度サーミスタ１４（１４Ａ、又は、１４Ｂ）が測定した温度を示している。符号８２は、温度サーミスタ１３が測定した外気温の挙動を示している。符号８３は、圧縮機１の吐出口に設けられた温度サーミスタ１２が測定した温度である。符号８４は、圧縮機１の油の温度の測定値を示している。符号８５は、圧縮機１のドーム下に設けられた温度サーミスタ１１が測定した温度である。
図８が示すように、外気温８２の上昇に伴い、室外熱交換器４の温度８１、圧縮機１の吐出口温度８３、油の温度８４、圧縮機１のドーム下温度８５も上昇する。しかし、時間Ｔ１あたりから、温度８１と温度８４及びドーム下温度８５との乖離が始まり、時間の経過と共にその差は大きくなる。また、時間Ｔ２あたりから、外気温８２と吐出口温度８３との乖離が始まり、時間の経過と共にその差は大きくなる。このように、外気温上昇時には、室外熱交換器４の温度は先に上昇し、圧縮機１の温度は、室外熱交換器４に比べ上昇が遅れる。このような状態になると、冷媒は、室外熱交換器４から圧縮機１へ移動し、圧縮機１への冷媒の溜まり込みが生じる。
【００２１】
本実施形態における制御装置２０は、このような圧縮機１への冷媒の溜まり込みを防止するためにクランクケースヒータ９をオンにし、圧縮機１を加熱する。次に図２を用いて制御装置２０について説明を行う。
図２は、本発明の一実施形態における制御装置の概略ブロック図である。
制御装置２０は、クランクケースヒータ９の制御を行う例えばマイコンであって、図２が示すように、少なくとも温度取得部２１、通電制御部２２、記憶部２３を備えている。
温度取得部２１は、温度サーミスタ１１や温度サーミスタ１２から圧縮機１の温度を、温度サーミスタ１３から室外の外気温を、温度サーミスタ１４（１４Ａ、１４Ｂ）から室外熱交換器４の温度を取得する。
通電制御部２２は、クランクケースヒータ９のオン／オフ制御を行う。圧縮機１への冷媒の溜まり込みは、圧縮機１の故障の原因となる。その為、クランクケースヒータ９をオンにして、圧縮機１を加熱し冷媒の溜まり込みを防ぐ必要があるが、一方で、省エネ等の観点から待機電力の低減が求められている。通電制御部２２は、温度取得部２１が取得した各温度に基づいて、圧縮機１への冷媒の溜まり込みを防ぎつつ、なるべくオフの状態を長くできるようにクランクケースヒータ９のオン／オフ制御を行う。特に、本実施形態では、圧縮機１の停止中であって外気温が所定の範囲にある場合に、圧縮機１の温度と室外熱交換器４の温度の温度差、あるいは、外気温の上昇に基づいて、クランクケースヒータ９をオン／オフする制御を行う。
記憶部２３は、温度取得部２１が取得した各種温度や通電制御部２２が、オン／オフ制御に用いる様々なパラメータ等を記憶している。
【００２２】
次に、図３〜図７を用いて、制御装置２０が行うクランクケースヒータ９のオン／オフ制御について説明する。
図３は、本発明の一実施形態におけるクランクケースヒータのオン／オフ制御に用いる外気温の温度帯を説明する図である。
制御装置２０は、圧縮機１の停止時にクランクケースヒータ９のオン／オフの制御方法を外気温に基づいて切り替える。具体的には、温度の低い方から順にＡ、Ｂ、Ｃの３つの温度帯を設定する。「Ａ温度帯」とは、３つの温度帯のうち、最も温度の低い温度帯（例えば、〜−１℃）である。「Ｂ温度帯」とは、３つの温度帯のうち、中間の温度帯（例えば、−１℃〜３０℃）である。「Ｃ温度帯」とは、３つの温度帯のうち、最も温度の高い温度帯（例えば、３０℃〜）である。図３が示すように、「Ａ温度帯」と「Ｂ温度帯」、「Ｂ温度帯」と「Ｃ温度帯」の切り替え温度には２℃のヒステリシス幅が設けられている。外気温が−１℃より低い温度から上昇するときには、制御装置２０は、外気温が−１℃になると外気温は「Ｂ温度帯」と判定し、逆に、「Ｂ温度帯」にあった外気温が低下する場合、外気温が−３℃になると「Ａ温度帯」にあると判定する。同様に、「Ｂ温度帯」にあった外気温が上昇する場合、制御装置２０は、３０℃になると「Ｃ温度帯」にあると判定し、「Ｃ温度帯」にあった外気温が低下する場合、外気温が２８℃になると「Ｂ温度帯」にあると判定する。このようにヒステリシス幅を設けることで、温度サーミスタ１３の測定誤差や変動を吸収し、安定した制御を行うことができる。
【００２３】
また、本実施形態は、圧縮機１が停止しているときのクランクケースヒータ９のオン／オフ制御を対象とするが、外気温が「Ａ温度帯」にある場合、冷媒回路は暖房運転していることも多い。また、外気温が「Ｃ温度帯」にある場合、冷媒回路は冷房運転していることも多い。一方、「Ｂ温度帯」は、日常的な温度であり、冷暖房を行わず冷媒回路が停止している時間も多い。本実施形態では、特にこの「Ｂ温度帯」におけるクランクケースヒータ９のオン／オフ制御を最適化し、省エネ効果を向上させる。
【００２４】
具体的には、制御装置２０は、圧縮機１が停止していて、且つ、外気温が「Ａ温度帯」にある場合は、クランクケースヒータ９をオンに制御する。また、制御装置２０は、圧縮機１が停止していて、且つ、外気温が「Ｃ温度帯」にある場合は、クランクケースヒータ９をオフにする。また、圧縮機１が停止していて、外気温が「Ｂ温度帯」にある場合、制御装置２０は、圧縮機１の温度と室外熱交換器４の温度差に基づいてクランクケースヒータ９のオン／オフ制御を行う。または、外気温が「Ｂ温度帯」にあり、外気温が所定の時間、上昇し続けた場合、制御装置２０は、クランクケースヒータ９をオンにする。
なお、圧縮機１が停止していない場合であっても、デフロスト運転中であれば、クランクケースヒータ９をオンにするなど、制御装置２０は、所定の条件に基づいてクランクケースヒータ９のオン／オフ制御を行うが、本実施形態とは関係しない為、説明を省略する。
【００２５】
図４は、本発明の一実施形態における制御装置の処理フロー図である。
図４を用いて制御装置２０が圧縮機１の停止時にクランクケースヒータ９のオンオフを制御する処理の流れについて説明する。
前提として、温度取得部２１は、温度サーミスタ１１と温度サーミスタ１２のうち少なくとも一つと、温度サーミスタ１３と、温度サーミスタ１４（１４Ａ、１４Ｂ）から所定の時間間隔で測定温度を取得し、取得した各温度を記憶部２３に記録するものとする。
まず、通電制御部２２は、記憶部２３から温度サーミスタ１３が測定した外気温を読み出して、図３のヒステリシス図に基づいて外気温がＡ〜「Ｃ温度帯」の何れであるか判定する（ステップＳ１１）。外気温が「Ａ温度帯」にある場合、通電制御部２２は、クランクケースヒータ９をオンにする（ステップＳ１２）。外気温が十分に低い場合は、室外熱交換器４と圧縮機１の温度差によらず、冷媒の液圧縮が生じる可能性がある為、クランクケースヒータ９をオンにする。また、外気温が「Ｃ温度帯」にある場合、通電制御部２２は、クランクケースヒータ９をオフにする（ステップＳ１３）。外気温が十分に高い場合は、冷媒が液圧縮を起こすおそれがない為、クランクケースヒータ９をオフにする。また、外気温が「Ｂ温度帯」にある場合、通電制御部２２は、所定時間（例えば１０分弱程度）経過後、クランクケースヒータ９をオフにする（ステップＳ１４）。ここで、待機電力を低減する為には、なるべくクランクケースヒータ９をオフにしておき、必要な場合だけオンにするように制御することが好ましい。通電制御部２２は、後述する条件Ｂ１、条件Ｂ２が成立するか否かを判定（ステップＳ１５）し、必要な場合だけクランクケースヒータ９をオンにする。条件Ｂ１、条件Ｂ２は、クランクケースヒータ９の起動が必要かどうかを判定する条件である。条件Ｂ１又は条件Ｂ２が成立する場合、通電制御部２２は、クランクケースヒータ９をオンにする（ステップＳ１７）。条件Ｂ１及び条件Ｂ２が共に不成立の場合、通電制御部２２は、クランクケースヒータ９をオフにする（ステップＳ１６）。次に外気温が「Ｂ温度帯」にあるか否かを判定し（ステップＳ１８）。外気温が「Ｂ温度帯」である間（ステップＳ１８；Ｙｅｓ）は、ステップＳ１５〜ステップＳ１７の処理を繰り返す。また、外気温が「Ｂ温度帯」ではない場合（ステップＳ１８；Ｎｏ）ステップＳ１１からの処理を繰り返す。
この制御により、圧縮機１の停止時に、外気温の条件などから必要なときのみクランクケースヒータ９をオンにすることができ、効率的に圧縮機１への冷媒の溜まり込みを防ぎつつ、待機電力を低減することができる。
【００２６】
次に、外気温が「Ｂ温度帯」にある場合の制御の詳細について説明する。まず、条件Ｂ１について説明する。
図５は、本発明の一実施形態における条件Ｂ１の判定処理のフロー図である。
条件Ｂ１は、図４で説明したフロー図のステップＳ１５における判定条件のうちの一つである。条件Ｂ１は、外気温の上昇に基づいてクランクケースヒータ９をオンにする制御を行うための条件である。
まず、通電制御部２２は、カウンタＮに０を代入して初期化する（ステップＳ２１）。次に、通電制御部２２は、１０分間、温度サーミスタ１３が測定した外気温を記憶部２３から読出し外気温の推移を監視する（ステップＳ２２）。次に通電制御部２２は、１０分間の間に外気温が上昇したかどうかを判定する（ステップＳ２３）。例えば、１０分間にサンプリングした外気温を、取得時間に応じて、前半と後半に分類し、前半に取得した外気温の平均値と後半に取得した外気温の平均値を比較して、後半の外気温の平均値が高ければ、外気温が上昇したと判定する。
【００２７】
外気温が上昇したと判定した場合、通電制御部２２は、カウンタＮに１を加えカウントアップする（ステップＳ２４）。外気温が上昇しなかったと判定した場合、ステップＳ２１からの処理を繰り返す。次に、通電制御部２２は、カウントアップしたＮの値が１０に達したかどうかを判定する（ステップＳ２５）。Ｎの値が１０に達していない場合、ステップＳ２２からの処理を繰り返す。Ｎの値が１０に達した場合、通電制御部２２は、条件Ｂ１が成立したと判定する（ステップＳ２６）。通電制御部２２は、条件Ｂ１が成立したと判定すると、図４の処理フローに従って、クランクケースヒータ９をオンにする制御を行う。
【００２８】
ここでは説明の便宜のため、外気温が常に「Ｂ温度帯」に収まる場合を例に説明を行ったが、ステップＳ２３の判定にて、１０分間監視した外気温が「Ｂ温度帯」を外れた場合、Ｎの値を０にし、本処理フローの実行を中止する。また、本実施形態は、圧縮機１が停止していることが前提なので、圧縮機１が稼働を始めた場合もＮの値を０にし、本処理フローの実行を中止する。
【００２９】
なお、ステップＳ２３にて、１０分間に外温は上昇せず一定であったような場合でも、カウンタＮを０に初期化する処理を一時保留し、次の１０分間で温度が上昇し始めたら、Ｎをカウントアップし、そのまま条件Ｂ１の判定処理を継続する等の変形も可能である。また、外気温の上昇の判定は、図５の方法によらず、温度サーミスタ１３の測定する温度の変化率から判定しても良いし、所定の時間間隔ごとの温度差を計算し、後の時間に取得した温度が所定の値以上高い場合に外気温が上昇したと判定してもよい。
【００３０】
次に、図６〜図７を用いて条件Ｂ２について説明する。
図６は、本発明の一実施形態における条件Ｂ２の判定処理のフロー図である。
まず、通電制御部２２は、記憶部２３から温度サーミスタ１４Ａ、温度サーミスタ１４Ｂが測定した室外熱交換器４の温度と圧縮機１のドーム下温度を読み出す。圧縮機１のドーム下に温度サーミスタ１１が設けられていない冷媒回路においては、温度サーミスタ１２が測定した圧縮機１の吐出口温度を読み出す。次に、通電制御部２２は、温度サーミスタ１４Ａが測定した温度と温度サーミスタ１４Ｂが測定した温度のうち低い温度を選択し、選択した温度からドーム下温度（又は吐出口温度）を減じた温度差ΔＴを計算する。そして、通電制御部２２は、計算した温度差ΔＴが、後述する「オン領域」にあるか否かを判定する（ステップＳ３１）。温度差が「オン領域」にある場合、通電制御部２２は、条件Ｂ２が成立すると判定する（ステップＳ３２）。温度差が、後述する「オフ領域」にある場合、通電制御部２２は、条件Ｂ２は不成立と判定する（ステップＳ３３）。
通電制御部２２は、条件Ｂ２が成立したと判定すると、図４の処理フローに従って、クランクケースヒータ９をオンにする制御を行う。
なお、図６の処理フローは、圧縮機１の停止後、所定時間（例えば、１０時間）が経過するまでの制御であって、通電制御部２２は、温度差ΔＴの大きさによらず、圧縮機１の停止からその所定時間が経過すると、クランクケースヒータ９をオンにする制御を行うよう制御してもよい。
【００３１】
図７は、本発明の一実施形態における条件Ｂ２の判定に用いるオン領域とオフ領域を説明する図である。
図７は、温度サーミスタ１４Ａ、温度サーミスタ１４Ｂが測定した室外熱交換器４の温度のうち低い方の温度から圧縮機１のドーム下温度（または、圧縮機１の吐出口温度）を減じた温度差ΔＴに基づいて、温度差ΔＴがクランクケースヒータ９をオンにする必要がある温度差かどうかの判定に用いるグラフを示している。図７において「オン領域」とは、クランクケースヒータ９をオンにする必要がある温度差の領域のことである。「オフ領域」とは、クランクケースヒータ９をオフにできる温度差の領域のことである。例えば、温度差ΔＴが１．５℃であれば、ΔＴは「オン領域」であり、温度差ΔＴが０℃であれば、ΔＴは「オフ領域」である。具体的には、室外熱交換器４の温度が圧縮機１のドーム下温度よりも１．５℃以上高くなると、通電制御部２２は、クランクケースヒータ９をオンにし、室外熱交換器４の温度が圧縮機１のドーム下温度以下となると、通電制御部２２は、クランクケースヒータ９をオフにする。このような制御とすることで、図８で例示したような外気温上昇時においても、室外熱交換器４の温度と圧縮機１のドーム下温度（または、吐出口温度）との乖離を検出し、圧縮機１への冷媒の移動が生じないように圧縮機１を温めることができる。
【００３２】
また、図７が示すように「オン領域」、「オフ領域」の判定においてもヒステリシス幅が設けられている。図８で例示した外気温の上昇時において、室外熱交換器４の温度と圧縮機１のドーム下温度にあまり乖離が無い状態から、徐々に温度差ΔＴが大きくなっていくような状況では、通電制御部２２は、温度差ΔＴが１．５℃以上となると、温度差ΔＴは「オン領域」にあると判定する。逆に温度差ΔＴが小さくなっていく局面では、温度差ΔＴが０℃となると、通電制御部２２は、温度差ΔＴは「オフ領域」にあると判定する。ヒステリシス幅を設けることで、温度サーミスタ１１、１４等の検出誤差などによる温度差ΔＴの変動によって、温度差ΔＴが、「オン領域」にあるか「オフ領域」にあるかの判定が何度も切り替わり、制御が不安定になるのを防ぐことができる。
なお、外気温が「Ｂ温度帯」に含まれ、１回目に温度差ΔＴを判定する場合、温度差ΔＴがヒステリシス幅にあれば、温度差ΔＴは「オン領域」にあると判定してもよい。
【００３３】
なお、条件Ｂ１、Ｂ２を共に判定する意味としては、次のようなことが挙げられる。条件Ｂ２によって圧縮機１の温度と室外熱交換器４の温度の関係を常に判定できれば好ましいが、例えば据え付け場所の影響により、室外熱交換器４の温度上昇が始まっていても温度サーミスタ１４が測定する温度が上昇しにくい状況や、温度サーミスタの故障などにより、圧縮機１や室外熱交換器４の温度が適切にとらえられない状況が生じる可能性がある。そのような状況では、取得した温度の情報からは、条件Ｂ２が成立しなかったとしても、外気温の上昇により、実際には図８で説明したような圧縮機１と室外熱交換器４の温度差が生じ、冷媒が圧縮機１へ移動している恐れがある。条件Ｂ１は、そのような状況に備えた判定条件であり、条件Ｂ２に加え、条件Ｂ１の判定を行うことにより、図８で説明したような温度上昇による圧縮機１への冷媒の溜まり込みを確実に防止することができる。
【００３４】
本実施形態によれば、圧縮機１が停止した状態でのクランクケースヒータ９のオン／オフ制御方法を外気温の温度帯によって切り替えることができる。さらに外気温が所定の範囲（「Ｂ温度帯」）にある場合（例えば、−１℃〜３０℃）、室外熱交換器４の温度が圧縮機１の温度より所定の値だけ高い場合のみクランクケースヒータ９をオンにし、室外熱交換器４の温度が圧縮機１の温度より低い場合は、クランクケースヒータ９をオフにすることができるので、効率的に圧縮機への冷媒の溜まり込みを防止し、省エネ化を図ることができる。また、温度サーミスタ１１、１４の異常等によって、室外熱交換器４や圧縮機１の正確な温度を測定できない場合であっても、外気温を監視し外気温の上昇を検出するとクランクケースヒータ９をオンにするので、圧縮機１への冷媒の溜まり込みを防止することができる。また、外気温が所定の範囲（「Ｂ温度帯」）にある場合、圧縮機１の温度と室外熱交換器４の温度の温度差によっては、クランクケースヒータ９をオフにすることができるので、特に外気温が低下していくときや外気温に変化が無いときなどにオフ制御することで省エネ化を図ることができる。
【００３５】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。なお、上述の図７で説明した「オン領域」と判定するための温度差１．５℃は、第一閾値の一例であり、「オフ領域」と判定するための温度差０℃は、第二閾値の一例である。
【符号の説明】
【００３６】
１・・・圧縮機
２・・・室内熱交換器
３・・・膨張弁
４・・・室外熱交換器
５・・・四方弁
６・・・配管
１１、１２、１３、１４・・・温度サーミスタ
２０・・・制御装置
２１・・・温度取得部
２２・・・通電制御部
２３・・・記憶部
【図１】
0006492358.tif 000002
【図２】
0006492358.tif 000003
【図３】
0006492358.tif 000004
【図４】
0006492358.tif 000005
【図５】
0006492358.tif 000006
【図６】
0006492358.tif 000007
【図７】
0006492358.tif 000008
【図８】
0006492358.tif 000009